【事件の表示】
　特許第３４３１３６５号「内視鏡装置」の請求項１に係る特許に対する特許異議の申立てについて、次のとおり決定する。
【結　論】
　訂正を認める。
　特許第３４３１３６５号の請求項１に係る特許を維持する。
【理　由】
１．手続の経緯
　本件特許第３４３１３６５号発明は、平成７年９月２１日に特許出願され、平成１５年５月２３日にその特許の設定登録がなされ、その後、ペンタックス株式会社より特許異議の申立がなされ、取消理由通知がなされ、その指定期間内である平成１６年１２月１０日に訂正請求がなされたものである。
　
２．訂正の適否についての判断
２．１　訂正の内容
　特許権者は訂正請求書に添付した訂正明細書のとおりに訂正することを求めており、その具体的内容は別紙のとおりである。
　
２．２　訂正の目的の適否、新規事項の有無、及び特許請求の範囲の拡張・変更の存否
訂正事項ａについて、
　訂正事項ａは、特許請求の範囲を実施例の記載に基いて減縮訂正するものであり、そのうち、「送気・送水シリンダと吸引シリンダ及びこれらシリンダに対して着脱自在なピストンからなる切換弁を有する操作部を備え、」は、特許明細書の【００１１】段落、及び図１、２などに記載されていたことである。
  また、「洗浄時に前記シリンダのうち一方の送気・送水シリンダのピストンに代えて該シリンダに掃除具案内通路を有する掃除具ガイド部材を装着」は、特許明細書の【００５５】、【００６３】及び図１０などに記載されていたことでる。
　さらに、「位置合わせ手段として前記シリンダ内以外の操作部構成要素外周面の平面部に当接し、又は前記操作部構成要素外周面の周囲に嵌り込み当接する手段を前記掃除具ガイド部材に設けた」は、特許明細書の【００５５】、【００６３】、【００７２】及び図１０などに記載されていたことである。
　
訂正事項ｂ、訂正事項ｃについて
　上記特許請求の範囲の減縮に伴い、いくつかの実施例が特許請求の範囲と整合しなくなることを避けるために明りょうでない記載の釈明を目的としてなされたものであって、特許明細書に記載されていたことであると共に実質上特許請求の範囲を拡張し又は変更するものではない。
　
２．３　むすび
　以上のとおり、上記訂正は特許法第１２０条の４第２項及び同条第３項において準用する特許法第１２６条第２項から第４項までの規定に適合するので、当該訂正を認める。
　
３．特許異議の申立について
３．１　申立の理由の概要
　特許異議申立人ペンタックス株式会社は、本件請求項１に係る特許発明は本件の出願前の出願であって本件出願後に出願公開された特願平６−２６２４０４号（特開平８−１１７１８５号）の願書に最初に添付した明細書に記載された発明と同一であるので特許法第２９条の２の規定により特許を受けることができないものであって、取り消されるべきものである、と主張し、証拠として甲第１号証（特開平８−１１７１８５号公報）を提出している。
　
３．２　本件発明
　前述のとおり訂正が認められたので、本件請求項１に係る発明（以下、「本件発明」という。）は、訂正明細書の請求項１に記載された事項によって特定される次のとおりのものである。
「送気・送水シリンダと吸引シリンダ及びこれらシリンダに対して着脱自在なピストンからなる切換弁を有する操作部を備え、洗浄時に前記シリンダのうち一方の送気・送水シリンダのピストンに代えて該シリンダに掃除具案内通路を有する掃除具ガイド部材を装着してシリンダ内に開口する管路へ掃除具を挿通できるようにした内視鏡装置において、
　前記掃除具案内通路と前記管路との連通位置を定める位置合わせ手段として前記シリンダ内以外の操作部構成要素外周面の平面部に当接し、又は前記操作部構成要素外周面の周囲に嵌り込み当接する手段を前記掃除具ガイド部材に設けたことを特徴とする内視鏡装置。」
　
３．３　甲第１号証に記載された発明
　異議申立人が提出した甲１号証には次の各記載がある。
【００１２】「図２は内視鏡の全体的構成を略示しており、挿入部１の基端に連結された操作部２には、送気送水のための管路切り換えを行うための送気送水管路切り換え弁２０と、吸引のための管路切り換えを行うための吸引管路切り換え弁３０とが、操作部２に並んで配置されている。」
【００１３】「送気送水管路切り換え弁２０と吸引管路切り換え弁３０には、共に、流体を通すための管路が連通接続されていて口元が操作部２の外方に向かって開口するシリンダ体２１，３１と、そのシリンダ体２１，３１に対して着脱自在に設けられた操作弁体２２，３２が設けられている。」
【００１８】「図１は、送気送水管路切り換え弁２０と吸引管路切り換え弁３０のシリンダ体２１，３１から操作弁体２２，３２が取り外されて、それに代えてブラシガイド４０が取り付けられた状態を示している。」
【００２０】「ブラシ挿入補助具４０は、送気送水管路切り換え弁２０のシリンダ体２１に挿入される送気送水管路ブラシガイド４１と、吸引管路切り換え弁３０のシリンダ体３１に挿入される吸引管路ブラシガイド４２とが、双方の頭部で、弾力性のあるゴム材からなる連結部材４３によって一体に連結されて形成されている。」
【００２１】「したがって、送気送水管路ブラシガイド４１と吸引管路ブラシガイド４２は、送気送水管路切り換え弁２０のシリンダ体２１と吸引管路切り換え弁３０のシリンダ体３１に対して、一体的に取り付けられ且つ一体的に取り外される。」
【００２５】「送気送水管路ブラシガイド４１には、入口が表面に開口して、送気送水管路切り換え弁２０のシリンダ体２１に挿入した時に給気管４、給水管５、送気管６又は送水管７に連通するガイド孔が形成されている。」
【００２６】「この実施例では、挿入部１の先端に通じていて汚染されやすい送水管７に連通するガイド孔４４が送気送水管路ブラシガイド４１に形成されていて、その入口側から掃除用ブラシを差し込めば、矢印Ａに示されるように、掃除用ブラシがガイド孔４４から送水管７内に案内されて、送水管７内をプラッシング掃除することができる。」
【００３０】「そのためには、ガイド孔４４，４５が、目標とする管路に正しく連通するように位置決めされなければならないが、両ブラシガイド４１，４２が両シリンダ体２１，３１に挿入された状態では、ガイド孔４４，４５の位置と向きが正常状態以外の状態をとることができないので、ガイド孔４４，４５は必ず所定の管路に正しく連適する。」
　
３．４　対比・判断
　本件発明と甲第１号証に記載された発明とを対比すると、本件発明は、洗浄時に前記シリンダのうち一方の前記送気・送水シリンダのピストンに代えて該シリンダに掃除具案内通路を有する掃除具ガイド部材を装着してこのシリンダ内に開口する管路へ掃除具を挿通するよう構成されているのに対し、甲第１号証に記載された発明は、送気送水管路切り換え弁２０のシリンダ体２１に挿入される送気送水管路ブラシガイド４１と、吸引管路切り換え弁３０のシリンダ体３１に挿入される吸引ブラシガイド４２とが、一体に連結されており、両ブラシガイド４１，４２を両シリンダ体２１，３１に挿入することによって、位置合わせする構成であることが認められ、両者の構成は異なる。
　そして、上記構成の相違から、本件発明では、吸引シリンダに掃除具ガイドは装着されないので吸引シリンダに吸引ピストンを装着したままの状態で位置合わせ可能に前記掃除具ガイド部材を操作部に装着できる（訂正後の【０００６】、【００９５】の記載参照）が、甲第１号証に記載された発明ではそのようなことができないことは明らかである。
　したがって、本件発明と本件の出願前の出願であって本件出願後に出願公開された特願平６−２６２４０４号（特開平８−１１７１８５号；甲第１号証）の願書に最初に添付した明細書に記載された発明とが同一であると認めることはできず、本件発明は特許法第２９条の２の規定により特許を受けることができないものであるとすることはできない。
　
３．４　むすび
　以上のとおり、訂正後の本件請求項１に係る特許は特許異議申立の理由及び証拠によっては取り消すべきものとすることはできない。
　また、他に訂正後の本件請求項１に係る発明の特許を取り消すべき理由を発見しない。
　よって、結論のとおり決定する。
【異議決定日】
平成１６年１２月２７日（２００４．１２．２７）
【訂正の要旨】
審決（決定）の【理由】欄参照。
（５４）【発明の名称】
内視鏡装置
（５７）【特許請求の範囲】
　【請求項１】
　
送気・送水シリンダと吸引
これら
シリンダのうち一方の送気・送水シリンダの
該
　前記掃除具案内通路と前記管路との連通位置を定める位置合わせ手段として前記シリンダ
内
外周面の平面部に
し、又は前記操作部構成要素外周面の周囲に嵌り込み当接
【発明の詳細な説明】
　【０００１】
　【発明の属する技術分野】
　本発明は、挿入部を挿入して観察等を行なう内視鏡と、この内視鏡の管路を清潔に保つため洗浄補助具とを備えた内視鏡装置に関する。
　【０００２】
　【従来の技術】
　一般に内視鏡には送気・送水・吸引などのための各種管路が設けられており、操作部に設けた操作ボタン等を介して送気・送水・吸引などの制御を行うことができる。内視鏡検査に使用した後はこれらの管路を清浄にする必要があり、このために従来例の内視鏡装置では操作ボタンを形成するピストンをシリンダより外してシリンダ内に細長くて可撓性のある管路掃除具を挿通して、使用後の各種管路を掃除するものが知られている。
　【０００３】
　さらに、シリンダ内の各種管路の開口部まで掃除具をスムーズに導く掃除具案内通路を有する掃除具ガイド部材を用いたものが知られている。掃除具ガイド部材としては、特公平２−５４０８５号公報や特開平５−２２８１０７号公報に開示されたものがある。
　【０００４】
　特公平２−５４０８５号公報の中に、洗浄補助具頭部近傍を装着するシリンダの外側開口部側に位置決め溝を設け、洗浄補助具頭部近傍の側壁に上記位置決め溝と嵌合する位置決め突起を設ける構成が示されている。
　【０００５】
　【発明が解決しようとする課題】
　シリンダの外側開口部側に位置決め溝を設けると、使用後にシリンダからピストンを取りはずしてシリンダ周辺を洗浄する時に、その溝の角部に指（或いは手袋）が引っかって損傷したり、溝の底面がうまく洗浄できないという不具合があり得る。この為、シリンダ開口部外側は凹凸を付けず極力平坦にすることが望ましい。
　【０００６】
　本発明は、上記事情に鑑みてなされたものであり、内視鏡操作部のシリンダ周辺に凹凸を付けることなく、掃除具ガイド部材の掃除具案内通路とシリンダ内の管路を容易に位置合わせでき、洗浄作業が良好
であると共に、吸引シリンダに吸引ピストンを装着したままでも、位置合わせ可能に前記掃除具ガイド部材を操作部に装着できる
　【０００７】
　【課題を解決するための手段】
送気・送水シリンダと吸引
これら
シリンダのうち一方の送気・送水シリンダの
該
　前記掃除具案内通路と前記管路との連通位置を定める位置合わせ手段として前記シリンダ
内
外周面の平面部に
し、又は前記操作部構成要素外周面の周囲に嵌り込み当接
　【０００８】
　【発明の実施の形態】
　以下、図面を参照して本発明の実施の形態を説明する。
　
本発明の実施の形態を説明するに先立って、本発明の実施の形態を説明するのに役立つ参考例を説明する。
（第１の参考例）
　図１ないし図８は
第１の参考例
本参考例
本参考例
本参考例
本参考例
　【０００９】
　図１に示すように内視鏡１は、操作部２とコネクタ部３とを接続する可撓管からなるユニバーサルコード４と、前記操作部２から延出して例えば、体腔内に挿通される細長な可撓管からなる挿入部５とを有している。
　【００１０】
　この挿入部５は、先端側より硬質の先端部６、湾曲自在の湾曲部７、軟性の軟性部８を連設しており、この挿入部５の後端に位置する操作部２の把持部９近傍には前記湾曲部７を上下方向（ＵＤ）、左右方向（ＲＬ）にそれぞれ湾曲操作するためのＵＤアングルノブ１０、ＲＬアングルノブ１１及び上下、左右への湾曲を解除するためのＵＤアングル解除ノブ１２及びＲＬアングル解除ノブ１３が設けられている。
　【００１１】
　また、この把持部９には内視鏡１内に配設されている管路系を介して送気・送水ピストン１４が送気・送水シリンダ２１（図２参照）に、吸引を行うための吸引ピストン１５が後述する吸引シリンダ２２（図２参照）に装着されている。さらに、前記把持部９の挿入部５側の位置には鉗子口部１６が設けられ、この鉗子口部１６にはセミディスポ等の鉗子栓１７が装着されるようになっている。
　【００１２】
　また、前記コネクタ部３の側部には加圧口金１８、送水口金１９、吸引口金２０、電気コネクタ８１が設けられ、また先端面にはライトガイド口金８２が突設されている。
　【００１３】
　このコネクタ部３のライトガイド口金８２を図示しない光源装置に接続することにより、光源装置内部のランプの光がライトガイド口金８２のライトガイド端面に供給され、この供給された光はライトガイドにより挿入部５の先端部６に固定された他方の端面に伝送され、さらに照明窓に設けた照明光学系を経て出射され、患部等の被写体を照明する。
　【００１４】
　図２に示すように内視鏡１内には、送気・送水・吸引管路が配管されている。操作部２には、前記送気・送水ピストン１４が着脱自在に装着される送気・送水シリンダ２１と、吸引ピストン１５が着脱自在に装着される吸引シリンダ２２が取り付けられている。送気・送水シリンダ２１の周壁には挿入部側送気管路２３、挿入部側送水管路２４、ユニバーサルコード側送気管路２５、ユニバーサルコード側送水管路２６がそれぞれ開口している。
　【００１５】
　挿入部側送気管路２３と挿入部側送水管路２４は挿入部５の途中で三又状の分岐管２７に連結され、湾曲部７内では１本の送気・送水管路２８となり、先端部６の観察光学系２９のカバーガラス３０表面の洗浄、水切り用の送気・送水ノズル３１に連結される。
　【００１６】
　観察光学系２９はカバーガラス３０とその内側に配置された光学レンズ３２よりなり、観察光学系２９による結像位置には撮像手段を形成する固体撮像素子３３が配置され、光学像を光電変換する。この固体撮像素子３３は信号ケーブル３４と接続され、この信号ケーブル３４はコネクタ部３の電気コネクタ８１の接点に接続され、図示しないスコープケーブルを介してビデオプロセッサに接続することにより、ビデオプロセッサで固体撮像素子に対する信号処理が行われ、映像信号が生成され、図示しないモニタに内視鏡像が表示される。
　【００１７】
　ユニバーサルコード側送水管路２５は、コネクタ部３の加圧口金１８、送気口金３５に連結されている。又、ユニバーサルコード側送水管路２６はコネクタ部３の送水口金１９に連結されている。コネクタ部３は図示しない光源装置の加圧ポンプおよび送水タンクにも連結され、送気・送水ピストン１４と組み合わせることで、送気・送水ノズル３１より送水または送気が行なえる。
　【００１８】
　又、吸引シリンダ２２の側壁には挿入部側吸引管路３６の後端が開口し、吸引シリンダ２２のユニバーサルコード側吸引管路３７の先端が開口している。このユニバーサルコード側吸引管路３７は、コネクタ部３において、吸引口金２０に連結され、挿入部側吸引管路３６は、途中で鉗子口部１６からの管路が合流し、先端部６で開口している。コネクタ部３の吸引口金２０に図示しない吸引ポンプからの吸引チューブを連結し、吸引ピストン１５と組み合わせることで、先端部６の開口より体腔内の粘液・汚物・空気等の吸引を行うことができる。
　【００１９】
　図２に示すように送気・送水ピストン１４及び吸引ピストン１５を取り外した状態の送気・送水シリンダ２１及び吸引シリンダ２２には掃除具ガイド部材４０を着脱自在で装着することができ、この掃除具ガイド部材４０を装着した状態の詳細な構造を図４に示す。
　【００２０】
　図４に示すように、内視鏡１の操作部２の送気・送水シリンダ２１内の周壁に下方から斜め上方に向けての斜め方向に挿入部側送気管路２３の後端が開口しており、この挿入部側送気管路２３は操作部２内で挿入部側へスムーズに向きを変えるようにＵ字状にループするようにしてある。
　【００２１】
　送気・送水シリンダ２１内の挿入部側送気管路２３内に細長で可撓性の掃除具３８（図８参照）をスムーズに挿入するための掃除具案内通路３９を有する掃除具ガイド部材４０を送気・送水シリンダ２１に装着可能にしている。
　【００２２】
　この掃除具ガイド部材４０の下面には送気・送水シリンダ２１の横に離れて設けられた吸引シリンダ２２に嵌着することのできる位置決め軸４１が突設されている。
　【００２３】
　円柱形状のガイド本体４５のみを送気・送水シリンダ２１に装着すると、掃除具案内通路３９を挿入部側送気管路２３に位置合わせすることは回転方向の位置決めに任意性が残るため困難になるが、位置決め軸４１を送気・送水シリンダ２１の横に併設された吸引シリンダ２２に、例えば嵌合して装着（嵌着）したり、少し隙間をあけて緩く装着（緩着）することにより回転方向の位置決めを行い、掃除具案内通路３９と挿入部側送気管路２３の回転方向の位置ズレを防止する位置合わせ手段を形成していることが特徴となっている。
　【００２４】
　つまり、ガイド本体４５の中心軸と位置決め軸４１の中心軸とを結ぶ方向（方位）は送気・送水シリンダ２１と吸引シリンダ２２の両中心軸を通る方向に設定されるので、掃除具案内通路３９（の送気・送水シリンダ２１に装着された場合における）方位の位置決めを行うことができ、掃除具案内通路３９を挿入部側送気管路２３にスムーズに連通する状態に設定できる。
　【００２５】
　この場合、送気・送水シリンダ２１のシリンダ内面など、送気・送水シリンダ２１の周辺に溝などの凹凸を設けることなく位置決めの手段を形成していることも特徴となっている。
　【００２６】
　送気・送水シリンダ２１と吸引シリンダ２２の上面外周には各々を操作部２に固定する送気・送水シリンダ固定ナット４２と吸引シリンダ固定ナット４３が設けてあり、間にＯリング等のシール部材４４を介在させることで、水密及び気密を保持して固定している。
　【００２７】
　掃除具ガイド部材４０は、ガラス繊維を１０〜３０％入れることで補強したポリサルフォン等の硬質の合成樹脂成形品で掃除具案内通路３９を設けた円柱状のガイド本体４５と、位置決め軸４１と、これらガイド本体４５と位置決め軸４１を連結する把持部４６が一体で成形されている。
　【００２８】
　把持部４６の上面の使用者が見やすい位置には図３の如く、ＯＬＹＭＰＵＳ，ＪＡＰＡＮ，ＡＢＣＤＥＦ，ＡＵＴＯＣＬＶＡＢＬＥ等の社名、製造国名、製品名、オートクレーブ対応可能なこと等、必要な情報を表示した表示部４７を具備している。又、オートクレーブ対応可能なことを示す為に掃除具ガイド部材４０の色を黄緑色等、使用者が認識可能な色にしてある。
　【００２９】
　ガイド本体４５に傾めに貫通して開けた掃除具案内通路３９の形状は図４のＡ矢視の方向から見ると図５のように上下方向（図４の左右方向が上下方向に対応する）よりも、これに垂直な方向が長い横長円状をしている。
　より具体的には上下方向の寸法ｈ１に対してこれに垂直な回転方向の寸法をｈ２とすると略ｈ２≒２ｈ１の関係になっている。
　【００３０】
　これは、送気・送水シリンダ２１の操作部２への固定位置のバラツキや挿入部側送気管路２３の送気・送水シリンダ２１への固定位置の回転方向のバラツキが生じても掃除具案内通路３９が挿入部側送気管路２３に必ず通過させるために設定してある。
　【００３１】
　又、掃除具案内通路３９の口元には掃除具３８を挿通しやすいようにロート状のＣ面取り、Ｒ面取り等の面取り部４８を具備している。
　又、ガイド本体４５の先端には、掃除具ガイド部材４０を誤って装着したくない別の内視鏡のシリンダ内径よりも太くこの送気・送水シリンダ２１内径よりは細い径の延出部４９が形成してある。
　【００３２】
　この延出部４９があることで別のシリンダに掃除具ガイド部材４０を誤装着しても完全には装着できず、又、掃除具案内通路３９とシリンダ内のどの管路の開口とも連通しないので使用者が誤装着を容易に判別可能となる。誤装着防止手段は延出部４９でない別の手段でもよいし、吸引シリンダ２２に嵌装等で取付けられる位置決め軸４１に設けることも可能である。
　【００３３】
　次に掃除具案内通路３９と挿入部側送気管路２３の上下方向の連結部に関して図６と図７を用いて説明する。掃除具案内通路３９の傾斜角度θ１が挿入部側送気管路２３の傾斜角度θ２より鋭角（つまりθ１＞θ２）であり、掃除具案内通路３９の中心軸と挿入部側送気管路２３の中心軸との交点５０は送気・送水シリンダ２１側壁内となるように設定してある。
　【００３４】
　さらに、掃除具３８をスムーズに挿入部側送気管路２３の連結口５１内に導入し、連結口５１から掃除具案内通路３９内へ抜去する工夫として以下の関係式となるように上下位置関係を設定してある。
　【００３５】
　送気・送水シリンダ２１の上面５２から挿入部側送気管路２３の連結口５１上側までの深さ（距離）をＳ１、同じく送気・送水シリンダ２１の上面５２から連結口５１下側までの深さをＳ２とし、掃除具ガイド部材４０の送気・送水シリンダ２１の上面５２に接する端面５３から掃除具ガイド部材４０の側壁開口５４上側までの深さＧ１、同じく上面５２に接する端面５３から掃除具ガイド部材４０の側壁開口５４下側までの深さをＧ２とした時、各孔の加工バラツキを考慮しても、
　　Ｇ１≦Ｓ１且つＧ２≦Ｓ２　　　　　　　　　　　　　　　　　　　（１）
の関係となるようにした。
　【００３６】
　また、図６では送気・送水シリンダ２１の上面５２から挿入部側送気管路２３の連結口５１中心までの深さ（距離）をＳ０、端面５３から掃除具ガイド部材４０の側壁開口５４中心までの深さをＧ０で示している。
　【００３７】
　図７は図６のＣ矢視から掃除具案内通路３９越しに連結口５１を見た図である。Ｇ１＜Ｓ１且つＧ２＜Ｓ２の関係となっており、連結口５１以外のシリンダ内壁５５が上側内壁５５ａと左横側内壁５５ｂと右横側内壁５５ｃとが見える。又、実際の連通部５６は図７の斜線で示した部分であり、その高さＨが使用する掃除具３８の挿通部５７の最大硬質外形Ｓ（図８参照）より大きくないと、スムーズに挿脱できないので、Ｈ＞Ｓの関係が成り立つように設定してある。
　【００３８】
　図８は使用する掃除具３８の一例であり、これは、２本以上のステンレス等、錆にくい金属線材５８の先端側にナイロン、羊毛等のブラシの毛となる複数の軟性線材５９を巻き込んで、より線ワイヤ状にし金属線材５８の先端部をプラズマアーク等の溶融処理にて、それに継く金属線材５８と滑らかにつらなる略球状部６０としたものであり、その全長は掃除する管路（挿入部側送気管路２３）の全長より長く、その手元側にフック等にひっかけられる孔６１を有したブラシ把持部６２が設けられている。
　【００３９】
　又、軟性材５９は掃除する管路の内径よりも十分太いが、容易に挿脱できるように十分軟らかく設定してある。先端部に金属線材５８と一体の略球状部６０を有しているので、管路への挿脱時にひっかかりにくく、又、別体でないので脱落する心配がないという優れた効果を有している。
　【００４０】
　次に作用を説明する。
　内視鏡検査終了後、内視鏡１を洗浄する時に、操作部２から送気・送水ピストン１４と吸引ピストン１５を外す。掃除したい管路内にまず、図示しないアダプタを使用して清潔な水を充満させる。次に、送気・送水シリンダ２１と吸引シリンダ２２に掃除具ガイド部材４０を図４のように装着する。装着しただけで、掃除具案内通路３９と挿入部側送気管路２３の回転方向位置（送気・送水シリンダ２１と吸引シリンダ２２の中心軸を結んだ線に対して図３の如く２５°傾いた位置）が一致する。
　【００４１】
　又、把持部４６上面の表示部４７を操作部２に対して押さえると図６、図７の上下方向の位置が決まる。
　掃除具案内通路３９内に掃除具３８の挿通部５７を通していくと、その先端の略球状部６０がシリンダ内壁５５（５５ａ、５５ｂ、５５ｃのいずれか）に突き当たるか、連通部５６にスムーズに挿入される。
　【００４２】
　仮にシリンダ内壁５５に突き当たっても、内壁５５ｂと５５ｃは曲面状をしており、掃除具３８を押し込むことで、略球状部６０が横方向へ移動し、連通部５６に導かれるし、内壁５５ａに突き当たっても連通部５６が下側にあるので、掃除具３８を押し込むことで、略球状部６０が下方向へ移動し、連通部５６に導かれる。
　【００４３】
　掃除具３８を連結口５１から挿入部側送気管路２３の先端の送気・送水ノズル３１内面まで挿通し、その間をブラッシング後、抜去する。抜去する時、掃除具３８は掃除具案内通路３９の側壁開口５４の上側口元に引っかかることなくスムーズに引き抜ける。これに対し式（１）の関係を満たさない場合には、シリンダ内壁５５が内壁５５ａと反対側の下側に見える場合もあり、その場合にはその部分に突き当った掃除具３８先端は、連結口５１がそこより上側にある為、なかなか連結口５１内に挿通できないという不具合を生じる。
　【００４４】
　又、連結口５１の上側が側壁開口５４の上側よりも高い位置（上側）にあると側壁開口５４の角部に掃除具３８が先端がひっかかり抜去できないという不具合を生じる。掃除具３８によるブラッシング後、掃除具ガイド部材４０を操作部２から取り去り、再びブラッシングした管路内に図示しないアダプタを使用して清潔な水と空気を流して汚れを除去する。
　【００４５】
　この
第１の参考例
ａ．送気・送水シリンダ２１と吸引シリンダ２２の相互の位置関係は正確に設定されており、両者にはある程度の間隔があるので、吸引シリンダ２２に位置決め軸４１を嵌着等で固定した時の送気・送水シリンダ２１内の連結口５１と掃除具案内通路３９との位置合わせ精度を高くでき、ずれにくい。
　【００４６】
ｂ．掃除具３８を掃除具案内通路３９から挿入側送気管路２３内に導入しやすく、抜去時もひっかかりにくい。このため、洗浄の作業を簡単にでき、洗浄作業性が良い。
　【００４７】
ｃ．また、送気・送水シリンダ２１のシリンダ周辺に凹凸を設けることなく、位置決めを可能にしているので、凹凸部分の洗浄が面倒になる等の欠点を解消できる。
　【００４８】
（第２の参考例）
　次に
第２の参考例
　図９は
第１の参考例
　【００４９】
　
第１の参考例
　【００５０】
　又、ガイド本体４５の先端側には、他のシリンダへの誤装着防止機能を有するステンレス等さびにくい金属でできた延出軸６３がガイド本体４５にインサート成形で一体に固定してある。
　【００５１】
　又、位置決め軸４１の外周には吸引シリンダ２２に圧入することで、逆さにしても吸引シリンダ２２から抜けることを防ぐ摩擦抵抗の大きな摩擦抵抗部６４を有している。又、把持部４６は全周に渡って厚く把持しやすくなっており、シリンダ２１、２２への着脱性を向上している。
　【００５２】
　掃除具ガイド部材４０の使い方（作用）及びその他の構成は
第１の参考例
　【００５３】
ａ．掃除具ガイド部材４０が合成ゴムでできているので、多少の位置、寸法ずれをあってもシリンダ２１、２２に装着可能である。
ｂ．摩擦抵抗部６４を有しているので、一度しっかりはめれば、掃除具ガイド部材４０から手を離しても抜け落ちない。
　【００５４】
（実施の形態）
　図１０ないし図１２は本発明の
一
　【００５５】
　
第１、第２の参考例
　【００５６】
　なお、図１０（Ｂ）での２点鎖線は装着しない状態での摩擦凸部６６の形状を示し、装着することにより変形して固定される。
　又、掃除具案内通路３９は孔でなく掃除具ガイド部材４０のガイド本体４５の上方から下方に向けた傾めの底面６８を有するスロープ状の切り欠き部６９を具備している。
　【００５７】
　図１１、１２は、本実施の形態に使用する掃除具３８を示すもので、図１１は送気・送水ノズル３１の内面をもブラッシングできるようにブラシの毛となる軟性線材５９を２本の金属線材５８に巻き込んだものを先端でＵの字状にループし、前側及び側方の両方に軟性線材５９が出るようにしたものである。
　【００５８】
　挿入部側送気管路２３のように内径が細く、全長の長い管路内にもスムーズに挿入でき、ブラッシング操作ができるように折り返した２本の金属線材５８を外形の細い金属コイルシャフト７０の内側孔部７１に差し込み、接続部をろう付やレーザ溶接、接着等の手段で滑らかにつないでいる。
　【００５９】
　図１２はコイルシャフト７０を巻き方向の異なる（内側右巻、外側左巻）２重多条コイルシャフト７２とし、その先端の内側孔部７１に図８の掃除具３８の先端部分をカットして差し込み、図１１と同じように滑らかにつないでいる。
　【００６０】
　図１１、図１２の掃除具３８共、コイルシャフト７０、７２を使っているので、２本以上の金属線材５８をよじってワイヤ状にしたものを挿入部側送気管路２３のようにＵの字状に曲がっている管路内へ挿脱した時に、ループ状の曲がり癖が付きにくく耐久性に優れるというメリットを有している。
　【００６１】
　又、金属線材５８に比べて腰があり、挿脱しやすく、特に２重多状コイルシャフト７２は手元をねじった時に先端が追従しやすいので、回転させながらのブラッシング等もできブラッシング性に優れるというメリットを有している。
　【００６２】
　次に本実施の形態の作用を説明する。
　図１０（Ｂ）の如く、切り欠き部６９の底面６８に沿わせて、掃除具３８を挿入していくと、自然に挿入部側送気管路２３の中に挿通できるので、
第１、第２の参考例
　【００６３】
　本実施の形態は以下の効果を有する。
ａ．吸引シリンダ２２の吸引ピストン１５を装着したままでも、位置合わせ可能に掃除具ガイド部材４０を操作部２に装着できる。
　【００６４】
ｂ．摩擦凸部６６を有しているので、第２の実施の形態同様、手を離しても抜け落ちない。
ｃ．掃除具案内通路３９が孔でなく切り欠きになっているので、中の気泡が残りにくく、ヘラ等も入れられるので洗浄、消毒性に優れる。
　【００７２】
　本発明は
前記
　【００７３】
　掃除具案内通路３９はシリンダ２１、２２内の管路の開口方向を工夫することで、挿入部側送水管路２４、ユニバーサルコード側送気管路２５、ユニバーサル側送水管路２６に連通するようにしても当然よい。
　【００７４】
　又、使用する掃除具３８は軟性線材５９の無い単なる金属線材５８やコイルシャフト７０でもよく、これでも管路の途中の詰まり除去の効果はある。
　【００７５】
　なお、シリンダ外側開口部に位置決め溝又は位置決め凸部を設けて洗浄性を落とさなくても、掃除具案内通路３９と連結口５１の回転方向の位置合わせができ且つ掃除具をスムーズに管路の連通口５１内に挿通できるようにした掃除具ガイド部材を組み合わせて使う内視鏡装置であればよく、実施の形態の要素を組み合わせたり、変形して実施することも当然可能である。
　【００７６】
　尚、上述の説明では主に挿入部側送気管路２３を掃除具で掃除するための掃除具案内管路を有するガイド部材の位置決めを説明したが、他の管路に対しても同様に適用した場合も本発明に属する。
　【００９５】
　【発明の効果】
　以上説明したように本発明によれば、
送気・送水シリンダと吸引
これら
シリンダのうち一方の送気・送水シリンダの
該
　前記掃除具案内通路と前記管路との連通位置を定める位置合わせ手段として前記シリンダ
内
外周面の平面部に
し、又は前記操作部構成要素外周面の周囲に嵌り込み当接
吸引シリンダに吸引ピストンを装着したままでも、位置合わせ可能に前記掃除具ガイド部材を操作部に装着できる
【図面の簡単な説明】
　【図１】
本発明の第１の実施の形態における内視鏡の構成を示す外観図。
　【図２】
第１の実施の形態の内視鏡装置の送気・送水・吸引管路の配管を示す説明図。
　【図３】
第１の実施の形態における掃除具ガイド部材の平面図。
　【図４】
図３のＩ１Ｉ２Ｉ３Ｉ４Ｉ５Ｉ６Ｉ７Ｉ８断面による掃除具ガイド部材を内視鏡操作部のシリンダに装着した状態を示す断面図。
　【図５】
掃除具ガイド部材の掃除具案内通路を図４のＡ矢視の方向から見た図。
　【図６】
図４のＢ部詳細説明図。
　【図７】
掃除具案内通路とシリンダ内に開口する管路をＣ矢視の方向から見た図。
　【図８】
本実施の形態に使用する掃除具の外観図。
　【図９】
本発明の第２の実施の形態における掃除具ガイド部材を内視鏡操作部のシリンダに装着した状態を示す断面図。
　【図１０】
本発明の第３の実施の形態における掃除具ガイド部材を内視鏡操作部のシリンダに装着した状態の断面等を示す図。
　【図１１】
掃除具の先端側の構造を示す斜視図。
　【図１２】
図１１とは異なる掃除具の先端側の構造を示す斜視図。
　【符号の説明】
　１…内視鏡
　２…操作部
　３…コネクタ部
　４…ユニバーサルコード
　５…挿入部
　６…先端部
　１４…送気送水ピストン
　１５…吸引ピストン
　１６…鉗子口部
　２１…送気・送水シリンダ
　２２…吸引シリンダ
　２３…挿入部側送気管路
　２４…挿入部側送水管路
　２５…ユニバーサルコード側送気管路
　２６…ユニバーサルコード側送水管路
　３６…挿入部側吸引管路
　３９…掃除具案内管路
　４０…掃除具ガイド部材
　４１…位置決め軸
　４５…ガイド本体
　４６…把持部
　４８…面取り部
　４９…延出部
　５１…連結口